(57)【要約】【課題】ミシンを使用する全てのユーザにとって使い勝手をよくすること。【解決手段】ミシン１は、模様データ５ａの表示順序の書き換えが可能な模様データ記憶手段５と、縫製模様を表示する表示手段３と、起動時に記憶されている模様データの順序で縫製模様を表示手段に表示する表示制御手段４と、所望する一又は複数の縫製模様を選択して入力する入力手段３２と、縫製模様の入力を決定する入力決定手段３３と、決定された縫製模様を記憶する縫製模様記憶手段４３と、縫製を開始する入力を行うスタートスイッチ２と、入力決定手段又はスタートスイッチの入力により、縫製模様の使用回数をカウントする使用回数カウント手段４と、カウントされた縫製模様の使用回数を各縫製模様毎に記憶する使用回数記憶手段５と、縫製終了後に、各縫製模様の使用回数の多い順に模様データの表示順序の変更を行う模様データ並び替え手段４と、を備える。【選択図】図２
2007282969.tif 000002
【特許請求の範囲】
【請求項１】
模様縫いを行うための模様データを複数記憶し、当該模様データの表示順序を書き換えが可能な模様データ記憶手段と、
前記模様データに基づく縫製模様を表示する表示手段と、
起動時に前記模様データ記憶手段に記憶されている模様データの表示順序で縫製模様を前記表示手段に表示させる表示制御手段と、
所望する一又は複数の縫製模様を選択して入力する入力手段と、
前記入力手段により入力された縫製模様の入力を決定する入力決定手段と、
前記入力決定手段により決定された縫製模様を記憶する縫製模様記憶手段と、
前記縫製模様記憶手段に記憶された縫製模様に対応する模様データに基づいて縫製を開始する入力を行うスタートスイッチと、
前記入力決定手段により選択された縫製模様、又は前記スタートスイッチで縫製を開始する縫製模様の使用回数をカウントする使用回数カウント手段と、
前記使用回数カウント手段によりカウントされた縫製模様の使用回数を各縫製模様毎に記憶する使用回数記憶手段と、
縫製終了後に、前記使用回数記憶手段に記憶された各縫製模様の使用回数の多い順に前記模様データ記憶手段に記憶された模様データの表示順序の変更を行う模様データ並び替え手段と、
を備えることを特徴とするミシン。
【請求項２】
前記表示手段に表示されている縫製模様と異なる縫製模様を表示させるための入力を行う表示切替手段を備え、
前記表示制御手段は、前記表示切替手段の入力により、前記表示手段に表示されている縫製模様の次に使用回数の多い縫製模様を前記表示手段に表示させることを特徴とする請求項１に記載のミシン。
【請求項３】
前記スタートスイッチの入力時から縫製終了までの縫製時間を計測する時間計測手段と、
前記時間計測手段により計測された縫製時間を各縫製模様毎に記憶する縫製時間記憶手段と、を備え、
前記模様データ並び替え手段は、前記使用回数カウント手段によりカウントされた使用回数が等しい縫製模様があった場合に、前記縫製時間記憶手段に記憶された縫製時間の長い順に前記模様データ記憶手段に記憶された模様データの並び替えを行うことを特徴とする請求項１又は２に記載のミシン。
【請求項４】
前記表示制御手段は、前記表示切替手段の入力により、前記表示手段に表示されている縫製模様の次に表示させる縫製模様の使用回数が０である場合には、前記模様データ記憶手段に記憶された模様データの初期の並び順で縫製模様を前記表示手段に表示させることを特徴とする請求項２又は３に記載のミシン。
【発明の詳細な説明】
【技術分野】
【０００１】
本発明は、文字や絵等の模様縫いが可能なミシンに関する。
【背景技術】
【０００２】
家庭用ミシンのように、文字、絵等の多種多様な模様縫いを行うミシンにおいては、液晶ディスプレイ等からなる操作パネルに複数の縫製模様が表示される。そして、ユーザが縫製を行う縫製模様を選択して、スタートスイッチを押すと選択した模様縫いを行うようになっている。
また、技術的又はコスト的な観点から操作パネルの大型化にも限界があり、一度に表示可能な縫製模様は限られている。従って、縫製模様の選択肢が多い場合には、操作パネル上に次の模様選択画面に切り替えるページ切替キー等を表示し、このページ切替キーを押すことにより、次の模様選択画面へと切り替えることができるようになっている（例えば、特許文献１参照。）。
【特許文献１】特開平１１−１３７８７４号公報
【発明の開示】
【発明が解決しようとする課題】
【０００３】
ところで、同じ模様を何度も繰り返して縫製するような場合、繰り返し縫製される模様がページ切替キーにより模様選択画面を何度も切り替えないと選択できないような場合には、ユーザは縫製のたびに非常に煩わしい作業をしなければならなかった。
このような問題を解決するため、上記特許文献１に示すように、使用する優先度の高い縫製模様を最初又は画面の切り替えが必要でも数回の画面の切り替えで表示させるようにして、ユーザの作業負担を減らす提案がなされている。
しかし、縫製模様の優先度は各ユーザによって異なるのは当然であり、特許文献１においては、ミシンの製造時にメーカの主観で縫製模様の使用頻度が決定されていたため、全てのユーザにとって使い勝手のよいものではなかった。
【０００４】
そこで、本発明は、上記課題を解決するためになされたものであり、使用する全てのユーザにとって使い勝手のよいミシンを提供することを目的とする。
【課題を解決するための手段】
【０００５】
請求項１に記載の発明は、ミシンにおいて、模様縫いを行うための模様データを複数記憶し、当該模様データの表示順序を書き換えが可能な模様データ記憶手段と、前記模様データに基づく縫製模様を表示する表示手段と、起動時に前記模様データ記憶手段に記憶されている模様データの表示順序で縫製模様を前記表示手段に表示させる表示制御手段と、所望する一又は複数の縫製模様を選択して入力する入力手段と、前記入力手段により入力された縫製模様の入力を決定する入力決定手段と、前記入力決定手段により決定された縫製模様を記憶する縫製模様記憶手段と、前記縫製模様記憶手段に記憶された縫製模様に対応する模様データに基づいて縫製を開始する入力を行うスタートスイッチと、前記入力決定手段により選択された縫製模様、又は前記スタートスイッチで縫製を開始する縫製模様の使用回数をカウントする使用回数カウント手段と、前記使用回数カウント手段によりカウントされた縫製模様の使用回数を各縫製模様毎に記憶する使用回数記憶手段と、縫製終了後に、前記使用回数記憶手段に記憶された各縫製模様の使用回数の多い順に前記模様データ記憶手段に記憶された模様データの表示順序の変更を行う模様データ並び替え手段と、を備えることを特徴とする。
【０００６】
請求項１に記載の発明によれば、ミシンを起動させると、その起動時に表示制御手段は、模様データ記憶手段に記憶されている模様データの順序で縫製模様を表示手段に表示する。ユーザは表示手段に表示された縫製模様を見て所望する一又は複数の縫製模様を入力手段により入力し、入力決定手段によりその入力を決定する。決定された縫製模様は、縫製模様記憶手段に記憶される。
ユーザは、縫製模様の入力決定後、スタートスイッチを入力することで、縫製模様記憶手段に記憶された縫製模様に対応する模様データに基づいて縫製を開始する。ここで、使用回数カウント手段は、入力決定手段による縫製模様の決定や、スタートスイッチによる縫製開始の入力と同時に、これらの入力を縫製模様の使用回数としてカウントし、この使用回数を使用回数記憶手段に記憶させる。
縫製終了後、模様データ並び替え手段は、使用回数記憶手段に記憶された各縫製模様の使用回数の多い順に模様データ記憶手段に記憶された模様データの表示順序の変更を行う。
【０００７】
これにより、ユーザの使用回数の多い順に表示手段に表示する縫製模様の順序を並び替えることができるので、ユーザが縫製模様を選択する際に表示手段に表示される模様選択の画面を何度も切り替える必要がなくなり、煩わしい作業から解放される。
また、縫製が終了する毎に模様データの並び替えを行うので、ユーザ毎に使用回数の多い縫製模様が異なっても、使用するユーザに応じて随時模様データを並び替えられるので、ミシンを使用する全てのユーザにとって使い勝手のよいミシンとすることができる。
【０００８】
請求項２に記載の発明は、請求項１に記載のミシンにおいて、前記表示手段に表示されている縫製模様と異なる縫製模様を表示させるための入力を行う表示切替手段を備え、前記表示制御手段は、前記表示切替手段の入力により、前記表示手段に表示されている縫製模様の次に使用回数の多い縫製模様を前記表示手段に表示させることを特徴とする。
【０００９】
請求項２に記載の発明によれば、表示制御手段は、表示切替手段の入力により、表示手段に表示されている縫製模様の次に使用回数の多い縫製模様を表示手段に表示させる。
これにより、使用回数の多い縫製模様ほど表示切替手段による入力が少なくて済むので、ユーザによる縫製模様の選択作業を短縮することができる。
【００１０】
請求項３に記載の発明は、請求項１又は２に記載のミシンにおいて、前記スタートスイッチの入力時から縫製終了までの縫製時間を計測する時間計測手段と、前記時間計測手段により計測された縫製時間を各縫製模様毎に記憶する縫製時間記憶手段と、を備え、前記模様データ並び替え手段は、前記使用回数カウント手段によりカウントされた使用回数が等しい縫製模様があった場合に、前記縫製時間記憶手段に記憶された縫製時間の長い順に前記模様データ記憶手段に記憶された模様データの並び替えを行うことを特徴とする。
【００１１】
請求項３に記載の発明によれば、模様データ並び替え手段は、カウントされた使用回数が等しい縫製模様があった場合に、時間計測手段により計測されて縫製時間記憶手段に記憶された縫製時間の長い順に模様データの並び替えを行う。
これにより、使用回数が等しい縫製模様が複数あっても、ユーザの意向により近い順序で模様データを並び替えることができるため、ユーザにとって使い勝手のよいミシンとすることができる。
【００１２】
請求項４に記載の発明は、請求項２又は３に記載のミシンにおいて、前記表示制御手段は、前記表示切替手段の入力により、前記表示手段に表示されている縫製模様の次に表示させる縫製模様の使用回数が０である場合には、前記模様データ記憶手段に記憶された模様データの初期の並び順で縫製模様を前記表示手段に表示させることを特徴とする。
【００１３】
請求項４に記載の発明によれば、表示手段に表示されている縫製模様の次に表示させる縫製模様の使用回数が０である場合には、模様データの初期の並び順で縫製模様を表示手段に表示させる。
これにより、使用回数が０である縫製模様は、今後も使用されるかどうかの予想がつきにくいが、模様データの初期の並び順で表示させることでユーザを混乱させるような模様データの並び替えがされることがなくなる。
【発明の効果】
【００１４】
請求項１に記載の発明によれば、ユーザの使用回数の多い順に表示手段に表示する縫製模様の順序を並び替えることができるので、ユーザが縫製模様を選択する際に表示手段に表示される模様選択の画面を何度も切り替える必要がなくなり、煩わしい作業から解放される。
また、縫製が終了する毎に模様データの並び替えを行うので、ユーザ毎に使用回数の多い縫製模様が異なっても、使用するユーザに応じて随時模様データを並び替えられるので、ミシンを使用する全てのユーザにとって使い勝手のよいミシンとすることができる。
【００１５】
請求項２に記載の発明によれば、使用回数の多い縫製模様ほど表示切替手段による入力が少なくて済むので、ユーザによる縫製模様の選択作業を短縮することができる。
【００１６】
請求項３に記載の発明によれば、使用回数が等しい縫製模様が複数あっても、ユーザの意向により近い順序で模様データを並び替えることができるため、ユーザにとって使い勝手のよいミシンとすることができる。
【００１７】
請求項４に記載の発明によれば、使用回数が０である縫製模様は、今後も使用されるかどうかの予想がつきにくいが、模様データの初期の並び順で表示させることで、ユーザを混乱させるような模様データの並び替えがされることがなくなる。
【発明を実施するための最良の形態】
【００１８】
以下、図面を参照して、ミシンの最良の形態について詳細に説明する。
＜ミシンの構成＞
図１、図２に示すように、ミシン１は、家庭用ミシンであり、上面に被縫製物が載置されるベッド部１１と、ベッド部１１の上面に一体形成され、ベッド部１１の上面に沿って一端部から他端部に向けて延びるアーム部１２と、を備えている。アーム部１２の先端部の下方の顎部近傍には、下端部に縫い針１３が設けられた針棒が設けられ、この針棒は、ミシンモータに連結された主軸にリンクを介して連結されている。また、ミシン１は、ユーザにより縫製の開始の入力を行うスタートスイッチ２と、ユーザに報知される情報が表示されるとともに、ユーザによりミシン１の操作入力が行われる操作パネル３と、ミシン１の内部に設けられ、各部の動作制御を行う制御装置４と、を備えている。
【００１９】
（スタートスイッチ）
図１、図２に示すように、スタートスイッチ２は、アーム部１２の顎部において、作業するユーザに対向する位置に設けられており、縫製停止中に押下することにより縫製を開始し、縫製中に押下することにより、縫製を停止させる。すなわち、スタートスイッチ２は、ストップスイッチとしての機能も兼ね備えている。
【００２０】
（操作パネル）
図１に示すように、操作パネル３は、アーム部１２の上方において、作業するユーザに対向する位置に設けられており、タッチパネル式の液晶ディスプレイ等で構成されている。
操作パネル３は、縫製可能な縫製模様をキー等で表示する表示手段としての機能を有するとともに、表示された縫製模様をユーザが選択して、操作パネル３の画面上で選択したキーに触れることにより、ユーザによる指示入力を行う機能を有する。具体的には、図１及び図３（ｂ）に示すように、操作パネル３上には、直線縫い、ジグザグ縫い、ボタンホール縫いの各縫製模様を端的に表した模様キー３２が表示される。この模様キー３２に触れることで、ユーザが所望する一又は複数の縫製模様の入力を行うことができ、模様キー３２は、入力手段として機能する。
操作パネル３は、当該操作パネル３に表示されている縫製模様と異なる縫製模様を表示させるための入力を行う表示切替手段としての表示切替キー３１を表示する機能を有する。具体的には、図１及び図３（ｂ）に示すように、操作パネル３上には模様キー３２とともに表示切替キー３１が表示され、この表示切替キー３１に触れることで、現在表示されている縫製模様の次に使用回数の多い縫製模様を表示する次画面に切り換わるようになっている。
操作パネル３は、当該操作パネル３に表示されている縫製模様を示した模様キー３２に触れることにより、選択入力された縫製模様を決定する入力決定手段としての決定キー３３を表示する機能を有する。具体的には、図１及び図３（ｂ）に示すように、操作パネル３上には表示切替キー３１及び模様キー３２とともに決定キー３３が表示され、この決定キー３３に触れることで、模様キー３２への接触により選択入力された縫製模様を決定して制御装置４内のＲＡＭ４３（後述する）に一時的に記憶される。従って、ＲＡＭ４３は、縫製模様記憶手段として機能する。
【００２１】
（制御装置）
図２に示すように、制御装置４は、ミシン１の動作制御に関する処理プログラムに従って各処理を実行するＣＰＵ４１と、各処理を実行するためのプログラムやデータ等が記憶されるＲＯＭ４２と、ＣＰＵ４１がＲＯＭ４２に記憶されたプログラムやデータ等の処理を行う作業エリアとなるＲＡＭ４３と、を備えている。
ここで、ＲＡＭ４３には、ユーザが模様キー３２に触れることにより縫製に用いられる縫製模様が選択入力された後、さらにユーザが決定キー３３に触れることにより選択入力された縫製模様が一時的に記憶される。なお、縫製模様のＲＡＭ４３への記憶に際しては、各縫製模様を縫製するための模様データにそれぞれ対応して特徴づけられた通し番号等により記憶される。
【００２２】
制御装置４は、ミシン１の起動時にＥＥＰＲＯＭ５に記憶されている模様データ５ａの順序で縫製模様を操作パネル３に表示する表示制御手段としての機能を有する。また、制御装置４は、表示制御手段として機能する際に、操作パネル３上での表示切替キー３１の入力により、操作パネル３に表示されている縫製模様の次に表示させる縫製模様の使用回数が０である場合には、ＥＥＰＲＯＭ５に記憶された模様データ５ａの初期の並び順（いわゆるミシン１の出荷時の模様データの順、図３（ａ）参照）で縫製模様を操作パネル３に表示させる。
制御装置４は、スタートスイッチ２の入力で縫製を開始する縫製模様の使用回数をカウントする使用回数カウント手段としての機能を有する。
制御装置４は、縫製終了後に、ＥＥＰＲＯＭ５に記憶された各縫製模様の使用回数の多い順にＥＥＰＲＯＭ５に記憶された模様データ５ａの並び替えを行う模様データ並び替え手段としての機能を有する。また、制御装置４は、模様データ並び替え手段として機能する際に、カウントされた使用回数が等しい縫製模様があった場合に、ＥＥＰＲＯＭ５に記憶された縫製時間の長い順にＥＥＰＲＯＭ５に記憶された模様データ５ａの並び替えを行う。
制御装置４は、スタートスイッチ２の入力時から縫製終了までの縫製時間を計測する時間計測手段としての機能を有する。
【００２３】
（ＥＥＰＲＯＭ）
ＥＥＰＲＯＭ５は、制御装置４に接続されており、記憶されたデータの書き換えが可能となっている。
ＥＥＰＲＯＭ５には、模様縫いを行うための模様データ５ａが記憶され、当該模様データ５ａは、メーカの主観により使用頻度が高いであろう順番で並べられている。よって、ＥＥＰＲＯＭ５は、模様データ記憶手段として機能する。制御装置４は、使用頻度が高いと予定されている順番で操作パネル３に縫製模様を表示させる。
ＥＥＰＲＯＭ５は、制御装置４によりカウントされた縫製模様の使用回数を各縫製模様毎に使用回数データ５ｂとして記憶する。よって、ＥＥＰＲＯＭ５は、使用回数記憶手段として機能する。
ＥＥＰＲＯＭ５は、制御装置４により計測された縫製時間を各縫製模様毎に縫製時間データ５ｃとして記憶する。よって、ＥＥＰＲＯＭ５は、縫製時間記憶手段として機能する。
【００２４】
具体的には、図３（ａ）に示すように、模様データ５ａには表示する順番が設定され、各縫製模様の使用回数及び縫製時間が各模様に対応付けられて記憶されている。ミシン１が出荷されるとき、すなわち、未使用の新品である場合には、全ての縫製模様において使用回数データ５ｂは０、縫製時間データ５ｃは０となっている。この部分に、模様縫いを行うたびに縫製模様の使用回数や縫製時間が加算され、各縫製模様に関するデータを更新することができる。
【００２５】
＜模様データの並び替え処理＞
次に、ＥＥＰＲＯＭ５に記憶された模様データ５ａの並び替え処理について説明する。
図４に示すように、ユーザによりミシン１の電源がオンにされると、制御装置４はＥＥＰＲＯＭ５の模様データ５ａを読み取り、図３（ｂ）に示すように、使用頻度が高いであろうと並べられた上位三つ（例えば、操作パネル３に縫製模様を三つまで表示できる場合）の縫製模様を表示する（ステップＳ１）。
【００２６】
具体的には、図３（ａ）に示すように、ミシン１の出荷時における初期の模様データ５ａは、直線縫い、ジグザグ縫い、ボタンホール縫い、・・・の順で使用頻度が高いと設定されているため、制御装置４は、直線縫い、ジグザグ縫い、ボタンホール縫いの各縫製模様を端的に表した模様キー３２を表示する。模様キー３２は、タッチパネルとなっており、ユーザが模様キー３２に触れることで縫製模様が選択され、さらに選択された縫製模様で模様縫いを行うことを決定する決定キー３３に触れることにより、縫製される模様が決定される。また、操作パネル３の画面上には、三つの縫製模様に加え、選択された縫製模様で模様縫いを行うことを決定する決定キー３３、上述した表示切替キー３１が表示される。
なお、ユーザが決定キー３３に触れることにより、図３（ｃ）に示すように、操作パネル３の画面上には決定した模様の詳細について設定する画面が表示されるようになっている。例えば、縫製模様として直線縫いを選択した場合には、その直線縫いを行うために必要な縫いピッチや返し縫い等の設定を行う設定キー３５，３６が表示される。
【００２７】
ステップＳ１の処理後、制御装置４は、スタートスイッチ２がＯＮになったか否かを判断する（ステップＳ２）。ここで、制御装置４が、スタートスイッチ２がＯＮになったと判断した場合（ステップＳ２：ＹＥＳ）、制御装置４は、ユーザにより選択された縫製模様の使用回数をカウントする、すなわち、当該選択された縫製模様の使用回数データ５ｂに使用回数「１」を加え（ステップＳ３）、使用回数データ５ｂを更新する（ステップＳ４）。また、制御装置４は、スタートスイッチ２がＯＮになってからの経過時間を計測する（ステップＳ５）。なお、制御装置４が、スタートスイッチ２がＯＮになっていないと判断した場合（ステップＳ２：ＮＯ）、制御装置４は、ステップＳ２の判断を繰り返す。
【００２８】
ステップＳ５における縫製時間の計測の開始後、制御装置４は、縫製が終了したか否かを判断する（ステップＳ６）。ここで、制御装置４が、ユーザにより選択された縫製模様の縫製が終了したと判断した場合（ステップＳ６：ＹＥＳ）、制御装置４は、縫製時間の計測を終了し、スタートスイッチ２のＯＮから縫製終了までの縫製時間を縫製時間データ５ｃに加え、縫製時間データ５ｃを更新する（ステップＳ７）。なお、制御装置４が、縫製が終了していないと判断した場合（ステップＳ６：ＮＯ）、制御装置４は、ステップＳ６の判断を繰り返す。
【００２９】
このような手順で各模様データ５ａの使用回数データ５ｂ及び縫製時間データ５ｃを更新した後、制御装置４は、模様データ５ａを使用回数が多い順に並び替える（ステップＳ８）。
例えば、図５（ａ）に示すように、各模様データ５ａの使用回数順に上から表示順を示す番号が付されている。図５（ａ）では、ボタンホール縫いが使用回数４回であったため、最も使用回数が多く、並び替えた際に最も上にくることとなる。
なお、制御装置４は、縫製模様の使用回数が０である模様データ５ａが複数存在する場合には、ＥＥＰＲＯＭ５に記憶された模様データ５ａの初期の並び順（いわゆるミシン１の出荷時の模様データの順、図３（ａ）参照）で縫製模様を操作パネル３に表示させる。
【００３０】
また、模様データ５ａの並び替えの際に、制御装置４は、同じ使用回数の模様データ５ａは存在するか否かを判断する（ステップＳ９）。ここで、制御装置４が、同じ使用回数の模様データ５ａがあったと判断した場合（ステップＳ９：ＹＥＳ）、制御装置４は、同じ使用回数の模様データ５ａを縫製時間の長い順に並べ替える（ステップＳ１０）。例えば、図５（ａ）に示すように、直線縫いとワンポイント縫い（ハート形）の使用回数はそれぞれ２回であるが、この場合、直線縫いの縫製時間が２４０秒、ワンポイント縫い（ハート形）の縫製時間が１２０秒であることから、並び替えた際に直線縫いの模様データ５ａが上にくることとなる。このようにして模様データ５ａを並び替えた結果、図５（ａ）のように並び替えられたとすると、図５（ｂ）に示すように、制御装置４は、その上位三つの模様データ５ａによる縫製模様３２ｃ，３２ａ，３２ｄを操作パネル３に表示する。
ステップＳ９において同じ使用回数の模様データ５ａがない場合、又はステップＳ１０において同じ使用回数の模様データ５ａを並び替えた後、制御装置４は、その並び替えた後の模様データ５ａを更新し（ステップＳ１１）、これをもって本処理を終了させる。
【００３１】
＜作用効果＞
ミシン１によれば、ミシン１を起動させると、その起動時に制御装置４は、ＥＥＰＲＯＭ５に記憶されている模様データ５ａの順序で縫製模様を操作パネル３に表示する。ユーザは操作パネル３に表示された縫製模様を見て所望する縫製模様を操作パネル３により入力する。ユーザは、縫製模様の入力後、スタートスイッチ２を入力することで、入力された縫製模様に対応する模様データ５ａに基づいて縫製を開始する。また、縫製開始と同時に、縫製模様の使用回数をカウントし、この使用回数を使用回数データ５ｂとしてＥＥＰＲＯＭ５に記憶させる。
縫製終了後、制御装置４は、ＥＥＰＲＯＭ５に記憶された使用回数データ５ｂに基づき、各縫製模様の使用回数の多い順に模様データ５ａの並び替えを行う。
【００３２】
これにより、ユーザの使用回数の多い順に操作パネル３に表示する縫製模様の順序を並び替えることができるので、ユーザが縫製模様を選択する際に操作パネル３に表示される模様選択の画面を何度も切り替える必要がなくなり、煩わしい作業から解放される。
また、縫製が終了する毎に模様データ５ａの並び替えを行うので、ユーザ毎に使用回数の多い縫製模様が異なっても、使用するユーザに応じて随時模様データ５ａを並び替えられるので、ミシン１を使用する全てのユーザにとって使い勝手のよいミシン１とすることができる。
【００３３】
また、制御装置４は、表示切替キー３１の入力により、操作パネル３に表示されている縫製模様の次に使用回数の多い縫製模様を操作パネル３に表示させる。
これにより、使用回数の多い縫製模様ほど表示切替キー３１による入力が少なくて済むので、ユーザによる縫製模様の選択作業を短縮することができる。
【００３４】
また、制御装置４は、カウントされた使用回数が等しい縫製模様があった場合に、縫製時間データ５ｃに基づく縫製時間の長い順に模様データ５ａの並び替えを行う。
これにより、使用回数が等しい縫製模様が複数あっても、ユーザの意向により近い順序で模様データ５ａを並び替えることができるため、ユーザにとって使い勝手のよいミシン１とすることができる。
【００３５】
また、制御装置４は、操作パネル３に表示されている縫製模様の次に表示させる縫製模様の使用回数が０である場合には、模様データ５ａの初期の並び順で縫製模様を操作パネル３に表示させる。
これにより、使用回数が０である縫製模様は、今後も使用されるかどうかの予想がつきにくいが、模様データ５ａの初期の並び順で表示させることでユーザを混乱させるような模様データ５ａの並び替えがされることがなくなる。また、初期の並び順は、縫製の専門家であるメーカの長年の経験に基づいて設定されているものであるため、特定の模様を何度も繰り返し縫製するような使用をしないユーザにとっては、使い勝手のよいミシン１とすることができる。
【００３６】
＜その他＞
なお、本発明の範囲は上記実施形態に限られるものではない。例えば、縫製模様の使用回数のカウントにおいては、スタートスイッチ２による入力時だけでなく、操作パネル３上で模様キー３２に触れて縫製模様の選択入力をした後、決定キー３３に触れることで、選択入力された縫製模様を決定してＲＡＭ４３に記憶させる際にカウントするようにしてもよい。具体的には、図５に示すように、文字や模様（例えば、ハート模様）を連続して複数回（例えば、２回）縫製する際において、縫製模様（ハート模様）を選択入力する際には、模様キー３２ｄの入力、決定キー３３の入力、模様キー３２ｄの入力、決定キー３３の順で入力を行う必要がある。この場合、スタートスイッチ２による使用回数のカウントではカウント数は全体としての縫製回数である「１」となるが、これをそれぞれ決定キー３３による決定がなされる毎に使用回数としてカウントすることで、縫製回数は各縫製模様単位で把握したときの縫製回数である「２」となるため、より詳細にユーザの使用回数を把握し、さらにユーザの意向に沿ったミシンを提供することができる。このようなカウント方法は、模様のみを縫製する場合に限られず、平仮名や片仮名、ローマ字、数字等あらゆる文字、模様、図形等又はこれらの組み合わせを縫製する際においても適用可能である。
【００３７】
また、模様データを並び替える基準として使用回数、縫製時間以外にも縫製対象（かばん、エプロン等）の種類によって模様データの並び順を変えるようにしてもよい。
また、縫製時間を模様データ並び替えの最優先基準とし、縫製時間が同じ場合には、使用回数で並び順を決定するようにしてもよい。
また、操作パネルに表示させるものに限らず、制御ボックス等に備え付けられているディップスイッチ等に同じ機能を持たせるようにしてもよい。この場合は、縫製模様を模式図で表すことができないため、番号で表示することとなる。
その他、発明の範囲内において、自由に設計変更が可能である。
【図面の簡単な説明】
【００３８】
【図１】ミシンの外観斜視図。
【図２】ミシンの構成を示すブロック図。
【図３】（ａ）はミシンの出荷時における初期の模様データ、使用回数データ、縫製時間データを有するテーブル、（ｂ）は（ａ）のデータに基づいて操作パネルに縫製模様を表示した図、（ｃ）は（ｂ）の状態において表示切替キーにより画面を切り替えたときの設定キーを表示した図。
【図４】模様データの並び替え処理のフローチャート。
【図５】（ａ）は模様データを並び替えた後の模様データ、使用回数データ、縫製時間データを有するテーブル、（ｂ）は（ａ）のデータに基づいて操作パネルに縫製模様を表示した図。
【符号の説明】
【００３９】
１  ミシン
２  スタートスイッチ
３  操作パネル（表示手段）
３１  表示切替キー（表示切替手段）
３２  模様キー（入力手段）
３３  決定キー（入力決定手段）
４  制御装置（表示制御手段、使用回数カウント手段、模様データ並び替え手段、時間計測手段）
４３  ＲＡＭ（縫製模様記憶手段）
５  ＥＥＰＲＯＭ（模様データ記憶手段、使用回数記憶手段、縫製時間記憶手段）
５ａ  模様データ
５ｂ  使用回数データ
５ｃ  縫製時間データ
【図１】
2007282969.tif 000003
【図２】
2007282969.tif 000004
【図３】
2007282969.tif 000005
【図４】
2007282969.tif 000006
【図５】
2007282969.tif 000007